(57)【特許請求の範囲】
【請求項１】
ヘルメット本体の前部開口部を覆う透明板からなるシールドを備えるヘルメットにおいて、前記ヘルメット本体の両側面にそれぞれシールドを回転可能に支持するシールド係止軸部材を設け、このシールド係止軸部材に貫通して締付部材を前記ヘルメット本体に対して締付固定し、前記シールド係止軸部材にシールドカバーを回転可能に係合し、このシールドカバーと前記シールドとを凹凸係合して一体に回転可能に取り付けたことを特徴とするヘルメット。
【請求項２】
ヘルメット本体の前部開口部を覆う透明板からなるシールドとその下側に配置されたチンガードとを備えるヘルメットにおいて、前記ヘルメット本体の両側面にそれぞれ前記チンガードを回転可能に支持するチンガード係止軸部材と、前記シールドを回転可能に支持するシールド係止軸部材とを順次重ねて設け、前記チンガード係止軸部材とシールド係止軸部材とに貫通して締付部材を前記ヘルメット本体に対して締付固定し、前記シールド係止軸部材にシールドカバーを回転可能に係合し、このシールドカバーと前記シールドとを凹凸係合して一体に回転可能に取り付けたことを特徴とするヘルメット。
【発明の詳細な説明】
【０００１】
【発明の属する技術分野】
この発明は、オートバイや自動車に乗車する時、頭に被るヘルメットに関するものである。
【０００２】
【従来の技術】
従来、オートバイなどに乗る際に着用すヘルメットとして、頭部のみを覆うジェットタイプのものと、走行中に風雨や挨から顔面を保護するためにヘルメットの前部開口部を透明板からなるシールドで覆い、さらに顎部をチンガードで覆うフルフェイスタイプのものが知られている。
【０００３】
さらに、ジェットタイプのものと、フルフェイスタイプの両者を兼用するものとして、例えば特公平７−３３６０１号公報に開示されるものがあり、季節やライダーの好みなどに応じて両者を使い分けることができれば、両者の特徴をそれぞれ利用することができる。
【０００４】
【発明が解決しようとする課題】
ところで、従来のジェットタイプのものと、フルフェイスタイプの両者を兼用するものでは、シールド及びチンガードを回転可能に取り付ける部品点数が多い。また、シールドカバーのシールドへの係合箇所が多いために精度が悪くなり、シールドカバーの取り付け精度が低下する。
【０００５】
この発明は、このような従来の課題の解決のためになされたものであり、取り付けの部品点数が少なく、またシールドカバーのシールドへの係合箇所が少ないので、精度の悪いシールドに殆ど影響されずに精度良くシールドカバーを取付可能であるヘルメットを提供することを目的としている。
【０００６】
【課題を解決するための手段】
前記課題を解決し、かつ目的を達成するために、この発明は、以下のように構成した。
【０００７】
請求項１記載の発明は、『ヘルメット本体の前部開口部を覆う透明板からなるシールドを備えるヘルメットにおいて、前記ヘルメット本体の両側面にそれぞれシールドを回転可能に支持するシールド係止軸部材を設け、このシールド係止軸部材に貫通して締付部材を前記ヘルメット本体に対して締付固定し、前記シールド係止軸部材にシールドカバーを回転可能に係合し、このシールドカバーと前記シールドとを凹凸係合して一体に回転可能に取り付けたことを特徴とするヘルメット。』である。
【０００８】
この請求項１記載の発明によれば、シールド係止軸部材によりシールドが回転可能に支持され、さらにシールド係止軸部材が締付部材によりヘルメット本体に対して締付固定されており、取り付けの部品点数が少ない。また、シールドカバーのシールドへの係合箇所が少ないので、精度の悪いシールドに殆ど影響されずに精度良く取付可能である。
【０００９】
請求項２記載の発明は、『ヘルメット本体の前部開口部を覆う透明板からなるシールドとその下側に配置されたチンガードとを備えるヘルメットにおいて、前記ヘルメット本体の両側面にそれぞれ前記チンガードを回転可能に支持するチンガード係止軸部材と、前記シールドを回転可能に支持するシールド係止軸部材とを順次重ねて設け、前記チンガード係止軸部材とシールド係止軸部材とに貫通して締付部材を前記ヘルメット本体に対して締付固定し、前記シールド係止軸部材にシールドカバーを回転可能に係合し、このシールドカバーと前記シールドとを凹凸係合して一体に回転可能に取り付けたことを特徴とするヘルメット。』である。
【００１０】
この請求項２記載の発明によれば、チンガード係止軸部材とシールド係止軸部材とによりシールド及びチンガードが回転可能に支持され、さらにチンガード係止軸部材とシールド係止軸部材とを順次重ねて締付部材によりヘルメット本体に対して締付固定されており、取り付けの部品点数が少ない。また、シールドカバーのシールドへの係合箇所が少ないので、精度の悪いシールドに殆ど影響されずに精度良く取付可能である。
【００１１】
【発明の実施の形態】
以下、この発明のヘルメットの実施の形態を説明する。図１はシールド及びチンガードを取り外した状態のヘルメットの側面図である。
【００１２】
ヘルメット１は、ヘルメット本体２からシールド及びチンガードを取り外した状態であり、ヘルメット本体２の前部には開口部が形成されている。ヘルメット本体２は、繊維強化樹脂材または熱可塑性樹脂材によって成形され、顎紐を取り付けるリベット３が設けられ、またチンガードのロックピン４が設けられている。ヘルメット本体２の両側部には、２個の取付孔２ｂ，２ｃが形成され、この２個の取付孔２ｂ，２ｃに取付ナット５，６が取り付けられ、この取付ナット５，６は雌螺子孔５ａ，６ａを有している。
【００１３】
このヘルメット１には、取付ナット６の雌螺子孔６ａに図示しない締付ボルトを螺着してシールドを取り付けることができ、この場合はシールドを取り付け頭部のみを覆うジェットタイプとして使用される。
【００１４】
既に販売されているジェットタイプのヘルメット１では、後でヘルメット本体２にチンガードを取り付ける取付孔２ｂを形成し、この取付孔２ｂに取付ナット５を取り付けて２個の雌螺子孔を利用してチンガード及びシールドを備えるヘルメットとして使用可能にする。
【００１５】
図２乃至図１７はシールドとチンガードを取り付けた状態のヘルメットを示し、図２はシールドとチンガードを閉じた状態のヘルメットの側面図、図３はシールドを開いた状態のヘルメットの側面図、図４はシールドとチンガードを開いた状態のヘルメットの側面図、図５はシールドカバーを外したシールドとチンガードを閉じた状態のヘルメットの側面図、図６はシールドカバーを外したシールドを開いた状態のヘルメットの側面図、図７はシールドカバーを外したシールドとチンガードを開いた状態のヘルメットの側面図、図８はシールドとチンガードの取付部の拡大図、図９は図８のIX-IX線に沿う断面図、図１０は図８のX-X線に沿う断面図、図１１は図８のXI-XI線に沿う断面図、図１２は図５のXII-XII線に沿う断面図、図１３はチンガード係止軸部材を示す図、図１４はシールド係止軸部材を示す図、図１５はシールドカバーの側面図、図１６は図１５のXVI-XVI線に沿う断面図、図１７は図１５のXVII-XVIＩ線に沿う断面図である。
【００１６】
ヘルメット１は、図２乃至図４に示すようにヘルメット本体２にシールド１０とチンガード１１を取り付けた状態であり、フルフェイスタイプとして使用される。シールド１０とチンガード１１の取付部はシールドカバー３３により覆われ、外部から見えないようになっている。
【００１７】
また、開口部の両側のシールド１０及びチンガード１１が重なる部分のヘルメット本体２には、他の部分よりやや凹入した凹部２ａが形成され、これによってヘルメット本体２の外表面とシールド１０及びチンガード１１の外表面とが滑かに連続するようにしている。また、シールド１０及びチンガード１１との接続部も、チンガード１１の上部縁部に形成した凹部１１ｅにシールド１０の下部縁部１０ｅを重ね合わせることにより両者の外表面が滑らかに連続するようにしている。
【００１８】
このようにヘルメット１は、ヘルメット本体２の前部には開口部が形成され、その開口部ば透明板からなるシールド１０及びその下側に配置されたチンガード１１で覆われ、このシールド１０及びチンガード１１の両側部はそれぞれへルメット本体２の両側部に対して取付部により回転可能に取付けられている。そして、図２の状態からシールド１０のみを回転させて図３に示すように開口部の一部を開くことができる。さらに、図３に示すようにシールド１０及びチンガード１１を上方へ動かして開口部の全部を開くことができ、このような状態で例えば眼鏡を外したり、飲料したりすることができる。
【００１９】
シールド１０及びチンガード１１の両側部の取付部は、図５乃至図１７に示すように構成されている。すなわち、ヘルメット本体２の前部開口部の両側面に形成された凹部２ａには、２個の取付孔２ｂ，２ｃが形成され、この取付孔２ｂに取付ナット５を、取付孔２ｃに取付ナット６を圧入し、その後接着剤で固定して取り付けられる。
【００２０】
ヘルメット本体２の両側面には、それぞれチンガード１１を回転可能に支持するチンガード係止軸部材３０と、シールド１１を回転可能に支持するシールド係止軸部材３１とを順次重ねて、チンガード係止軸部材３０とシールド係止軸部材３１とを貫通して締付部材である取付ボルト３２を取付ナット５の雌螺子孔５ａに螺着してヘルメット本体２に対して締付固定される。さらに、シールド係止軸部材３１とシールド１０には、シールドカバー３３が取り付けられている。
【００２１】
チンガード係止軸部材３０は図１３に示すように構成され、図１３（ａ）は平面図、図１３（ｂ）は右側面図、図１３（ｃ）は底面図、図１３（ｄ）は図１３（ａ）のｄ−ｄ線に沿う断面図、図１３（ｅ）は図１３（ａ）のｅ−ｅ線に沿う断面図である。
【００２２】
チンガード係止軸部材３０は薄い皿状に形成され、円形凹部３０ａの中央には取付孔３０ｂが形成されている。この円形凹部３０ａによって形成される側壁３０ｃには、環状リブ３０ｄが形成されている。また、側壁３０ｃの一部を延出して係合突起３０ｅが形成され、さらに側壁３０ｃの周囲は係合突起３０ｅの両側を残してフランジ３０ｆが形成され、このフランジ３０ｆから係合突起３０ｅの両側に向かって延出する一対のラチット爪３０ｇが形成されている。また、側壁３０ｃの一部には、係合凹部３０ｈが形成されている。
【００２３】
また、シールド係止軸部材３１は図１４に示すように構成され、図１４（ａ）は平面図、図１４（ｂ）は底面図、図１４（ｃ）は図１４（ａ）のｃ−ｃ線に沿う断面図、図１４（ｄ）は図１４（ａ）のｄ−ｄ線に沿う断面図である。
【００２４】
シールド係止軸部材３１は深い皿状に形成され、円形凹部３１ａの中央には取付孔３１ｂが形成されている。この円形凹部３１ａによって形成される側壁３１ｃには、周囲に外側フランジ３１ｄと一対の内側フランジ３１ｅが形成されている。この一対の内側フランジ３１ｅの間に切欠き３１ｆが形成されている。さらに、円形凹部３１ａには対称位置に一対の係合溝３１ｇが形成され、この一対の係合溝３１ｇは内側フランジ３１ｅに対向している。また、側壁３１ｃの一部には、係合凸部３１ｈが形成されている。
【００２５】
シールドカバー３３は図１５乃至図１７に示すように構成され、内側に係合筒部３３ａが形成され、係合筒部３３ａには一対の係合リブ３３ｂが形成されている。さらに、シールドカバー３３の内側には、係合突起３３ｃが形成されている。
【００２６】
次に、ヘルメット本体２に対してチンガード係止軸部材３０及びシールド係止軸部材３１により図５乃至図１２に示すようにシールド１０及びチンガード１１が組付けられる。すなわち、チンガード係止軸部材３０の取付孔３０ｂとシールド係止軸部材３１の取付孔３１ｂとに取付ボルト３２を貫通して取付ナット５の雌螺子孔５ａに螺着する。チンガード係止軸部材３０は係合突起３０ｅを取付ナット６の雌螺子孔６ａに挿入して回り止めしており、チンガード１１の回転ガイド孔１１ａが側壁３０ｃに回転可能に設けられ、側壁３０ｃのフランジ３０ｆがチンガード１１の抜け止めが行なわれる。チンガード１１には回転ガイド孔１１ａの一部にラチット溝１１ａ１が形成され、このラチット溝１１ａ１にラチット爪３０ｇが係合され、チンガード１１が所定の位置に確実に位置決めされるようになっている。
【００２７】
シールド係止軸部材３１は側壁３１ｃをチンガード係止軸部材３０の円形凹部３０ａに嵌め込み、係合凸部３１ｈを係合凹部３０ｈに係合し、凹凸係合によりシールド係止軸部材３１の回り止めが行なわれている。チンガード係止軸部材３０のフランジ３０ｆとシールド係止軸部材３１の外側フランジ３１ｄの間にシールド１０の回転ガイド孔１０ａが嵌め込まれ、環状リブ３０ｄにより接触抵抗を軽減してシールド１０が円滑に回転可能になっている。
【００２８】
チンガード１１にはストッパ突起１１ｂが形成され、このストッパ突起１１ｂはシールド１０に形成された回転角規制溝１０ｂに係合され、シールド１０の抜け止めとともに、回転角規制溝１０ｂによりシールド１０の移動範囲が規制されている。
【００２９】
シールドカバー３３は、係合筒部３３ａの一対の係合リブ３３ｂをシールド係止軸部材３１の一対の内側フランジ３１ｅの間の切欠き３１ｆに嵌め込み、シールドカバー３３を左右のいずれかに回転すると、係合リブ３３ｂが内側フランジ３１ｅに係合し、係合突起３３ｃを孔部１０ｃに係合して組み付ける。シールドカバー３３は、シールド１０及びチンガード１１の取付部を覆っており、取付部が外部から見えないようになっており体裁がよい。
【００３０】
ヘルメット本体２に設けられたロックピン４には、図１２に示すように係止部４ａに斜面４ａ１が形成され、係止部４ａはチンガード１１のロック凹部１１ｃに係合して閉じ位置に位置決めされる。チンガード１１を上方に開く時には、端部１１ｄを矢印Ａ方向に指で押してロック凹部１１ｃを係止部４ａから外してチンガード１１を上方に開く。一方、チンガード１１を閉じる時には、チンガード１１が矢印Ｂ方向へ移動して端部１１ｄが係止部４ａの斜面４ａ１に当接し、係止部４ａに乗り上げてロック凹部１１ｃが嵌め込まれる。
【００３１】
このようにヘルメット本体２の両側部に２個の雌螺子孔５ａ，６ａが設けられ、この２個の雌螺子孔５ａ，６ａを利用してチンガード係止軸部材３０とシールド係止軸部材３１を用いてチンガード１１及びシールド１０を備えるヘルメットとして使用可能であり、ヘルメット本体２を共通化して部品点数を削減し、かつ低コストであり、しかもチンガード１及びシールド１０の取り付け取り外しが容易で異なるタイプのヘルメットとして使用可能である。
【００３２】
また、チンガード１１にラチット溝１１ａ１とストッパ突起１１ｂとを形成し、チンガード係止軸部材３０に形成したラチット爪３０ｇをラチット溝１１ａ１に係合してチンガード１１の回動の位置決めを可能にし、さらにシールド１０に形成した回転角規制溝１０ｂをストッパ突起１１ｂに位置させ、シールド１０の回転角規制を可能にしたから、簡単な構造でシールド１０が所定位置に以上に回動することが規制され、シールド１０がヘルメット本体２に干渉して傷付くことが防止できる。
【００３３】
また、チンガード係止軸部材３０とシールド係止軸部材３１とによりシールド１０及びチンガード１１が回転可能に支持され、さらにチンガード係止軸部材３０とシールド係止軸部材３１とを順次重ねて締付部材によりヘルメット本体２に対して締付固定されており、取り付けの部品点数が少なく、シールドカバー３３のシールド１０への係合箇所が少ないので精度の悪いシールド１０に殆ど影響されずに精度良く取付可能である。
【００３４】
【発明の効果】
前記したように、請求項１記載の発明では、シールド係止軸部材によりシールドが回転可能に支持され、さらにシールド係止軸部材が締付部材によりヘルメット本体に対して締付固定されており、取り付けの部品点数が少ない。また、シールドカバーのシールドへの係合箇所が少ないので、精度の悪いシールドに殆ど影響されずに精度良く取付可能である。
【００３５】
請求項２記載の発明では、チンガード係止軸部材とシールド係止軸部材とによりシールド及びチンガードが回転可能に支持され、さらにチンガード係止軸部材とシールド係止軸部材とを順次重ねて締付部材によりヘルメット本体に対して締付固定されており、取り付けの部品点数が少ない。また、シールドカバーのシールドへの係合箇所が少ないので、精度の悪いシールドに殆ど影響されずに精度良く取付可能である。
【図面の簡単な説明】
【図１】シールドとチンガードを取り外した状態のヘルメットの側面図である。
【図２】シールドとチンガードを閉じた状態のヘルメットの側面図である。
【図３】シールドを開いた状態のヘルメットの側面図である。
【図４】シールドとチンガードを開いた状態のヘルメットの側面図である。
【図５】シールドカバーを外したシールドとチンガードを閉じた状態のヘルメットの側面図である。
【図６】シールドカバーを外したシールドを開いた状態のヘルメットの側面図である。
【図７】シールドカバーを外したシールドとチンガードを開いた状態のヘルメットの側面図である。
【図８】シールドとチンガードの取付部の拡大図である。
【図９】図８のIX-IX線に沿う断面図である。
【図１０】図８のX-X線に沿う断面図である。
【図１１】図８のXI-XI線に沿う断面図である。
【図１２】図５のXII-XII線に沿う断面図である。
【図１３】第１係止軸部材を示す図である。
【図１４】第２係止軸部材を示す図である。
【図１５】シールドカバーの側面図である。
【図１６】図１５のXVI-XVI線に沿う断面図である。
【図１７】図１５のXVII-XVII線に沿う断面図である。
【符号の説明】
１  ヘルメット
２  ヘルメット本体
１０  シールド
１０ｃ  孔部
１１  チンガード
３０  チンガード係止軸部材
３１  シールド係止軸部材
３３  シールドカバー
３３ｃ  係合突起
【図１】
0004029418.tif 000002
【図２】
0004029418.tif 000003
【図３】
0004029418.tif 000004
【図４】
0004029418.tif 000005
【図５】
0004029418.tif 000006
【図６】
0004029418.tif 000007
【図７】
0004029418.tif 000008
【図８】
0004029418.tif 000009
【図９】
0004029418.tif 000010
【図１０】
0004029418.tif 000011
【図１１】
0004029418.tif 000012
【図１２】
0004029418.tif 000013
【図１３】
0004029418.tif 000014
【図１４】
0004029418.tif 000015
【図１５】
0004029418.tif 000016
【図１６】
0004029418.tif 000017
【図１７】
0004029418.tif 000018